(57)【特許請求の範囲】
【請求項１】
光ディスクの記録領域内に記録された情報を読み取る光ディスク情報読取手段と、
前記光ディスク情報読取手段により読み取った情報のうち、画像、音声等を記録したデータ領域の情報を再生する再生手段と、
前記再生手段による再生動作の停止を指示するための停止指示手段と、
前記停止指示手段により停止指示された時点における再生位置を再生開始位置として記憶するメモリと、
前記再生手段による再生動作の開始時に、前記メモリに記憶された再生開始位置を読み取って、その再生開始位置から前記再生手段による情報の再生を開始するように制御する制御手段とを備えた光ディスク再生装置において、
複数の光ディスク再生装置が相互に接続されたネットワークシステムに接続可能とされ、
前記ネットワークシステムを構成する他の光ディスク再生装置と通信するための通信手段と、
前記光ディスクが挿入された装置（以下、自装置という）のメモリに再生開始位置を記憶するか、他の装置に存在する共有メモリに再生開始位置を記憶するかを選択するための選択手段と、
前記選択手段により他の装置のメモリに再生開始位置を記憶するように選択されたときに、再生開始位置の記憶先の装置を指定するための指定手段とをさらに備え、
前記選択手段により自装置のメモリに再生開始位置を記憶するように選択された場合に、前記制御手段は、前記光ディスク情報読取手段により読み取った前記光ディスクの識別情報に対応させて、再生開始位置を自装置のメモリに記憶させると共に、前記再生手段による再生動作の開始時に、前記光ディスク情報読取手段により読み取った前記光ディスクの識別情報に対応した再生開始位置を自装置のメモリから読み取って、その再生開始位置から前記再生手段による情報の再生を開始し、
前記選択手段により他の装置に存在する共有メモリに再生開始位置を記憶するように選択された場合に、前記制御手段は、前記光ディスク情報読取手段により読み取った前記光ディスクの識別情報に対応させて、再生開始位置を前記指定手段による指定先の装置の共有メモリに前記通信手段を介して記憶させると共に、前記再生手段による再生動作の開始時に、前記光ディスク情報読取手段により読み取った前記光ディスクの識別情報に対応した再生開始位置を、前記指定手段による指定先の装置の共有メモリから前記通信手段を介して読み取って、その再生開始位置から前記再生手段による情報の再生を開始するようにしたことを特徴とする光ディスク再生装置。
【請求項２】
光ディスクの記録領域内に記録された情報を読み取る光ディスク情報読取手段と、
前記光ディスク情報読取手段により読み取った情報のうち、画像、音声等を記録したデータ領域の情報を再生する再生手段と、
前記再生手段による再生動作の停止を指示するための停止指示手段と、
前記停止指示手段により停止指示された時点における再生位置を再生開始位置として記憶する記憶手段と、
前記再生手段による再生動作の開始時に、前記記憶手段に記憶された再生開始位置を読み取って、その再生開始位置から前記再生手段による情報の再生を開始するように制御する制御手段とを備えた光ディスク再生装置において、
複数の光ディスク再生装置が相互に接続されたネットワークシステムに接続可能とされ、
前記ネットワークシステムを構成する他の光ディスク再生装置と通信するための通信手段と、
前記ネットワークシステムを構成する各光ディスク再生装置の再生開始位置を格納する共通の記憶手段をどの装置の記憶手段にするかを指定するための指定手段とをさらに備え、
前記指定手段により指定された記憶手段が自装置の記憶手段である場合に、前記制御手段は、再生開始位置を自装置の記憶手段に記憶させると共に、前記再生手段による再生動作の開始時に、自装置の記憶手段から再生開始位置を読み取って、その再生開始位置から前記再生手段による情報の再生を開始し、
前記指定手段により指定された記憶手段が他の装置の記憶手段である場合に、前記制御手段は、再生開始位置を前記指定手段による指定先の装置の記憶手段に前記通信手段を介して記憶させると共に、前記再生手段による再生動作の開始時に、前記指定手段による指定先の装置の記憶手段から前記通信手段を介して再生開始位置を読み取って、その再生開始位置から前記再生手段による情報の再生を開始するようにしたことを特徴とする光ディスク再生装置。
【請求項３】
前記制御手段は、前記光ディスク情報読取手段により読み取った前記光ディスクの識別情報に対応させて、前記光ディスクの再生開始位置を自装置又は前記指定手段による指定先の装置の記憶手段に記憶させると共に、前記再生手段による再生動作の開始時に、前記光ディスク情報読取手段により読み取った前記光ディスクの識別情報に対応した前記光ディスクの再生開始位置を、自装置又は前記指定手段による指定先の装置の記憶手段から読み取って、その再生開始位置から前記再生手段による情報の再生を開始することを特徴とする請求項２に記載の光ディスク再生装置。
【発明の詳細な説明】
【０００１】
【発明の属する技術分野】
本発明は、ＤＶＤ（Digital Versatile Disc）等の光ディスクに記録された画像、音声等の情報を読み取って、これらの情報を再生する光ディスク再生装置に関する。
【０００２】
【従来の技術】
従来より、ＣＤ（Compact Disc），ＬＤ(Laser Disc)，ＤＶＤ−ＲＯＭ(DVD-Read Only Memory)等の光ディスクを記録媒体として使用し、画像、音声、文字等の情報を再生する光ディスク再生装置の分野において、レジューム（resume）機能を有するものが知られている。レジューム機能とは、映像等の情報の再生時に、前回の再生停止位置から継続的に情報の再生を開始するように制御する機能である。このレジューム機能は、一般に前回の再生停止位置を示す光ディスク上のアドレスを再生装置の一時メモリ内に記憶しておいて、このアドレスから次回の再生を開始することにより実現される。
【０００３】
ところが、上記のような従来のレジューム機能を有する光ディスク再生装置では、一旦光ディスクを再生装置から取り出すと、一時メモリ内に記憶された前回の再生停止位置の情報がクリアされてしまう。このため、ある再生装置で途中まで再生した光ディスクを一旦再生装置から取り出して再度同じ再生装置に挿入した場合や、ある再生装置で途中まで再生した光ディスクを別の再生装置に移した場合に、前回の再生停止位置から次回の再生を開始することができず、ユーザがマニュアル動作で前回の再生停止位置を検索する必要がある。
【０００４】
そこで、ＭＤ(Mini Disc)等の記録再生可能な光磁気ディスク記録媒体の再生装置の分野において、前回の再生停止時にディスクの管理情報領域に書き込んでおいた再生停止位置から次回の再生を開始する方法により、ディスクを一旦再生装置から取り出して再度同じ再生装置に挿入した場合や、ディスクを別の再生装置に移した場合でも、前回の再生停止位置から次回の再生を開始することができるようにしたものがある（例えば、特許文献１参照）。
【０００５】
また、親機で再生した音声情報を子機で受信して出力する送受信型のＣＤチェンジャーの分野において、各子機の電源オフ前のレジューム情報を親機又は子機のＲＡＭに記憶しておき、このレジューム情報に基づいて子機の電源オン後の再生処理を行うことにより、子機の電源オフ前における演奏の続きを電源オン後に聴く場合における待ち時間を短縮するものがある（例えば、特許文献２参照）。
【０００６】
【特許文献１】
特開平１１−２９７０５２号公報（第１−４頁、第１図、第２図及び第３図）
【特許文献２】
特開平１１−１１０９５７号公報（第１−３頁、第６頁及び第７頁、第１図、第７図及び第８図）
【０００７】
【発明が解決しようとする課題】
しかしながら、上記特許文献１に示されるような前回の再生停止位置をディスクの管理情報領域に書き込む方式は、ＭＤ等の再書き込み可能な光磁気ディスクの再生装置や、ＤＶＤ−ＲＡＭ(DVD-Random Access Memory)等の再書き込み可能な光ディスクの再生装置には適用可能であるが、ＤＶＤ−ＲＯＭ、ＣＤ−ＲＯＭ(CD-Read Only Memory)等の再生専用光ディスクの再生装置には適用することができない。また、上記特許文献２に示されるような送受信型のＣＤチェンジャーに関する発明を、自装置（光ディスクが挿入された装置）で読み取った情報を自装置で再生するタイプの光ディスク再生装置に適用したとしても、光ディスクを一旦再生装置から取り出して再度同じ再生装置に挿入した場合や、光ディスクを別の再生装置に移した場合には、前回の再生停止位置から次回の再生を開始することができない。
【０００８】
本発明は、上記の問題を解決するためになされたものであり、対象となる光ディスクが再書き込み可能であるか否かを問わず、光ディスクを一旦再生装置から取り出して再度同じ再生装置に挿入した場合や、光ディスクをある再生装置から他の再生装置に移した場合でも、前回の再生停止位置から次回の再生を開始することが可能な光ディスク再生装置を提供することを目的とする。
【０００９】
【課題を解決するための手段】
上記目的を達成するために請求項１の発明は、光ディスクの記録領域内に記録された情報を読み取る光ディスク情報読取手段と、光ディスク情報読取手段により読み取った情報のうち、画像、音声等を記録したデータ領域の情報を再生する再生手段と、再生手段による再生動作の停止を指示するための停止指示手段と、停止指示手段により停止指示された時点における再生位置を再生開始位置として記憶するメモリと、再生手段による再生動作の開始時に、メモリに記憶された再生開始位置を読み取って、その再生開始位置から再生手段による情報の再生を開始するように制御する制御手段とを備えた光ディスク再生装置において、複数の光ディスク再生装置が相互に接続されたネットワークシステムに接続可能とされ、ネットワークシステムを構成する他の光ディスク再生装置と通信するための通信手段と、光ディスクが挿入された装置（以下、自装置という）のメモリに再生開始位置を記憶するか、他の装置に存在する共有メモリに再生開始位置を記憶するかを選択するための選択手段と、選択手段により他の装置のメモリに再生開始位置を記憶するように選択されたときに、再生開始位置の記憶先の装置を指定するための指定手段とをさらに備え、選択手段により自装置のメモリに再生開始位置を記憶するように選択された場合に、制御手段は、光ディスク情報読取手段により読み取った光ディスクの識別情報に対応させて、再生開始位置を自装置のメモリに記憶させると共に、再生手段による再生動作の開始時に、光ディスク情報読取手段により読み取った光ディスクの識別情報に対応した再生開始位置を自装置のメモリから読み取って、その再生開始位置から再生手段による情報の再生を開始し、選択手段により他の装置に存在する共有メモリに再生開始位置を記憶するように選択された場合に、制御手段は、光ディスク情報読取手段により読み取った光ディスクの識別情報に対応させて、再生開始位置を指定手段による指定先の装置の共有メモリに通信手段を介して記憶させると共に、再生手段による再生動作の開始時に、光ディスク情報読取手段により読み取った光ディスクの識別情報に対応した再生開始位置を、指定手段による指定先の装置の共有メモリから通信手段を介して読み取って、その再生開始位置から再生手段による情報の再生を開始するようにしたものである。
【００１０】
上記構成においては、制御手段は、光ディスク情報読取手段により読み取った光ディスクの識別情報に対応させて、停止指示手段により停止指示された時点における再生位置を再生開始位置として自装置のメモリ又は指定手段による指定先の装置の共有メモリに記憶させる。これにより、ある光ディスクに記録された情報をある再生装置で途中まで再生した後に、再生動作を停止させて光ディスクを一旦再生装置から取り出した場合でも、その光ディスクの前回の再生停止位置に相当する再生開始位置をその光ディスクの識別情報に対応させて保持することができるので、その光ディスクを再度同じ再生装置に挿入した場合に、制御手段が、その光ディスクの前回の再生停止位置に相当する再生開始位置から再生手段による情報の再生を開始することができる。
【００１１】
また、選択手段により他の装置に存在する共有メモリに再生開始位置を記憶するように選択された場合に、制御手段が、光ディスクの識別情報に対応させて、再生開始位置を指定先の装置の共有メモリに通信手段を介して記憶させると共に、再生動作の開始時に、光ディスクの識別情報に対応した再生開始位置を指定先の装置の共有メモリから通信手段を介して読み取って、その再生開始位置から再生手段による情報の再生を開始するようにした。これにより、ある光ディスクに記録された情報をある再生装置で途中まで再生した後に、その光ディスクを他の再生装置に移した場合でも、その光ディスクの前回の再生停止位置に相当する再生開始位置から再生手段による情報の再生を開始することができる。
【００１２】
また、請求項２の発明は、光ディスクの記録領域内に記録された情報を読み取る光ディスク情報読取手段と、光ディスク情報読取手段により読み取った情報のうち、画像、音声等を記録したデータ領域の情報を再生する再生手段と、再生手段による再生動作の停止を指示するための停止指示手段と、停止指示手段により停止指示された時点における再生位置を再生開始位置として記憶する記憶手段と、再生手段による再生動作の開始時に、記憶手段に記憶された再生開始位置を読み取って、その再生開始位置から再生手段による情報の再生を開始するように制御する制御手段とを備えた光ディスク再生装置において、複数の光ディスク再生装置が相互に接続されたネットワークシステムに接続可能とされ、ネットワークシステムを構成する他の光ディスク再生装置と通信するための通信手段と、ネットワークシステムを構成する各光ディスク再生装置の再生開始位置を格納する共通の記憶手段をどの装置の記憶手段にするかを指定するための指定手段とをさらに備え、指定手段により指定された記憶手段が自装置の記憶手段である場合に、制御手段は、再生開始位置を自装置の記憶手段に記憶させると共に、再生手段による再生動作の開始時に、自装置の記憶手段から再生開始位置を読み取って、その再生開始位置から再生手段による情報の再生を開始し、指定手段により指定された記憶手段が他の装置の記憶手段である場合に、制御手段は、再生開始位置を指定手段による指定先の装置の記憶手段に通信手段を介して記憶させると共に、再生手段による再生動作の開始時に、指定手段による指定先の装置の記憶手段から通信手段を介して再生開始位置を読み取って、その再生開始位置から再生手段による情報の再生を開始するようにしたものである。
【００１３】
この構成においては、ある光ディスクに記録された情報をある再生装置で途中まで再生した後に、再生動作を停止させて光ディスクを一旦再生装置から取り出した場合でも、その光ディスクの識別情報に対応した再生開始位置を、自装置又は指定手段による指定先の装置の記憶手段に保持することができるので、上記と同様な作用を得ることができる。
【００１４】
また、請求項３の発明は、請求項２の発明において、制御手段が、光ディスク情報読取手段により読み取った光ディスクの識別情報に対応させて、光ディスクの再生開始位置を自装置又は指定手段による指定先の装置の記憶手段に記憶させると共に、再生手段による再生動作の開始時に、光ディスク情報読取手段により読み取った光ディスクの識別情報に対応した光ディスクの再生開始位置を、自装置又は指定手段による指定先の装置の記憶手段から読み取って、その再生開始位置から再生手段による情報の再生を開始するようにしたものである。この構成においては、複数の光ディスクの再生開始位置を光ディスクの識別情報に対応させて自装置又は指定先の装置の記憶手段に記憶させることができる。これにより、ある再生装置に直前に挿入していた光ディスクとは異なる光ディスクを挿入した場合でも、制御手段が、光ディスク情報読取手段により読み取った光ディスクの識別情報に基づいて、自装置又は指定先の装置の記憶手段から、その光ディスクの前回における再生停止位置に対応した再生開始位置を読み取って、その再生開始位置から情報の再生を開始することができる。
【００１５】
【発明の実施の形態】
以下、本発明を具体化した実施形態について図面を参照して説明する。図１は、本実施形態によるＤＶＤプレイヤ（光ディスク再生装置）の電気的ブロック構成を示す。このＤＶＤプレイヤ１は、ＤＶＤ（Digital Versatile Disc）２１に記録されている映像データを読み取って再生し、再生した映像を本装置にディジタル接続されたディスプレイ３０に表示させる装置であり、前回の再生停止位置から継続的に映像の再生を開始する機能（レジューム機能）を有するものである。また、このＤＶＤプレイヤ１で再生されるＤＶＤ２１は、再書き込み可能なＤＶＤ−Ｒ(DVD-Recordable)，ＤＶＤ−ＲＷ(DVD-ReWritable)，ＤＶＤ−ＲＡＭ(DVD-Random Access Memory)に限られず、再生専用のＤＶＤ−ＲOＭ(DVD-Read Only Memory)でもよい。
【００１６】
上記のＤＶＤプレイヤ１は、ＤＶＤ２１の挿入を検知するディスク挿入検知部２、トレイ（図２参照）に装着されたＤＶＤ２１を回転駆動するスピンドルモータ３、ＤＶＤ２１に記録されている情報をＲＦ信号の形式で出力する光ピックアップ４（光ディスク情報読取手段）、光ピックアップ４から出力されたＲＦ信号の２値化処理等を行うＲＦ回路５、及びＲＦ回路５による処理後のデータに対してデータ復調や誤り訂正等のデコード処理を施すデコーダ６（再生手段）を備えている。また、ＤＶＤプレイヤ１は、装置全体の制御を行う制御部１０（制御手段）、及び装置本体に対して再生・停止等のを指示や各種の設定を行うためのリモコン４０を有している。制御部１０には、上記のディスク挿入検知部２、スピンドルモータ３、ＲＦ回路５、デコーダ６に加えて、装置に各種の指示を与えるための操作部７、各種のメッセージを表示する表示部８、及びリモコン４０から送信された赤外線信号を受信して電気信号に変換する赤外線受信部９が接続されている。
【００１７】
また、上記の制御部１０には、ＩＥＥＥ１３９４シリアルバスケーブル２０（以下、バスケーブルという）を介して各種のデータを入出力するためのディジタル・インタフェース１１（通信手段）、及び初期設定情報等の各種データを記憶したメモリ１３（記憶手段）が接続されている。ディジタル・インタフェース１１の内部には、このＤＶＤプレイヤ１のＧＵＩＤ（Global Unique Identification）や性能に関する情報を記憶したコンフィグレーションＲＯＭ１２が組み込まれている。ＧＵＩＤとは、一般にＩＥＥＥ１３９４規格のシリアルバスを採用するネットワークに接続される各機器に固有の識別番号を意味し、各機器の製造時に世界中で唯一の識別番号として各機器に付与されるものである。また、上記のメモリ１３には、各ＤＶＤ２１のＩＤ（識別情報）に対応した再生開始ポイント（再生開始位置）を記憶したレジュームテーブル１４が格納されている。このレジュームテーブル１４を含むメモリ１３の内容は、リモコン４０により電源がオフにされて、ＤＶＤプレイヤ１がスタンバイ状態になった場合や、ＤＶＤ２１が一旦ＤＶＤプレイヤ１から取り出された場合でも消去されない。
【００１８】
図２は、上記のＤＶＤプレイヤ１を相互に接続して構成したネットワークシステムを示す。このネットワークシステム５０は、リビングルームにあるＤＶＤプレイヤ１ａとプライベートルームにあるＤＶＤプレイヤ１ｂとをバスケーブル２０で相互に接続したものであり、ＤＶＤプレイヤ１ａとＤＶＤプレイヤ１ｂの間の通信はＩＥＥＥ１３９４のプロトコルにより行われる。図に示されるように、各ＤＶＤプレイヤ１ａ，１ｂの前面には、上記の操作部７、表示部８及び赤外線受信部９に加えて、ＤＶＤ２１を載置するためのトレイ５１が配設されている。操作部７には、再生キー５２及び停止キー５３が含まれる。また、各ＤＶＤプレイヤ１のリモコン４０には、各ＤＶＤプレイヤ１の電源のオン／オフを切り替えるための電源キー４１、トレイ５１のオープン／クローズを指示するためのエジェクトキー４２、数字入力キー４３、レジューム機能のオン／オフを切り替えるためのレジュームキー４４、再生キー４５、停止キー４６（停止指示手段）、各種の設定画面等の表示を指示するためのメニューキー４７、モードの選択や再生開始位置の選択等を行うための選択キー４８、及び赤外線信号を発信する赤外線発信部４９が配されている。
【００１９】
次に、レジューム機能使用時におけるメモリ１３の参照方法の選択処理と、参照先のＤＶＤプレイヤ１の指定処理について、図３及び図４を参照して説明する。ユーザが、ＤＶＤプレイヤ１とディスプレイ３０の電源を投入して、リモコン４０のメニューキー４７を押すと、制御部１０は、ディスプレイ３０上に図３に示されるメモリ参照方法設定画面６１を表示して、ユーザにレジューム機能使用時におけるメモリ１３の参照方法の選択を促す。そして、ユーザがリモコン４０の選択キー４８により「１．無条件で指定先のメモリを参照する」を選択した場合には、制御部１０は、ディスプレイ３０上に図４に示される参照先装置指定画面６２を表示して、ユーザにレジューム機能使用時におけるメモリ参照先のＤＶＤプレイヤ１の指定を促す。そして、ユーザがリモコン４０の選択キー４８によりメモリ参照先のＤＶＤプレイヤ１を指定すると、指定されたＤＶＤプレイヤ１のメモリ１３内のレジュームテーブル１４を、再生停止時における再生位置（次回の再生開始ポイント）の格納先、及び再生開始時における再生開始ポイントの参照先に設定する。
【００２０】
これに対して、ユーザがリモコン４０の選択キー４８により「２．再生しているプレイヤのメモリを参照する」を選択した場合には、制御部１０は、ＤＶＤ２１が挿入されているＤＶＤプレイヤ１のメモリ１３内のレジュームテーブル１４を、再生停止時における再生開始ポイントの格納先、及び再生開始時における再生開始ポイントの参照先に設定する。また、ユーザがリモコン４０の選択キー４８により「３．上記の１、２をその都度選択する」を選択した場合には、制御部１０は、ユーザがリモコン４０のレジュームキー４４を押す度に、図３に示されるメモリ参照方法設定画面６１を表示して、ユーザにメモリ１３の参照方法の選択を促す。そして、ユーザがリモコン４０の選択キー４８により選択した内容に応じて上記と同様な処理を行う。上記メモリ参照方法設定画面６１及びリモコン４０の選択キー４８が、請求項における選択手段に相当する。また、参照先装置指定画面６２及びリモコン４０の選択キー４８が、請求項における指定手段に相当する。
【００２１】
図５は、図２に示される各ＤＶＤプレイヤ１ａ，１ｂの初期設定時に、これらのＤＶＤプレイヤ１ａ，１ｂのメモリ参照先に同じＤＶＤプレイヤを指定した場合におけるレジュームテーブル１４の内容を示す。レジュームテーブル１４には、以前にＤＶＤプレイヤ１ａ又はＤＶＤプレイヤ１ｂで再生されたことのある各ＤＶＤ２１についてのレジューム情報７１が格納されており、このレジューム情報７１は、各ＤＶＤ２１のディスクＩＤ７２と再生開始ポイント７３とから構成されている。ディスクＩＤ７２は、各ＤＶＤ２１のディスクに固有のＩＤであり、各ＤＶＤ２１のリードイン領域２２（図６参照）に記憶されている管理情報に含まれる情報である。また、再生開始ポイント７３には、そのＤＶＤ２１の前回の再生停止時における再生位置に相当する再生開始時間７４と再生開始アドレス７５とが含まれている。
【００２２】
上記のように、ネットワークシステム５０を構成する各ＤＶＤプレイヤ１のメモリ参照先に同じＤＶＤプレイヤ１を指定した場合には、以前にいずれかのＤＶＤプレイヤ１で再生された各ＤＶＤ２１についてのレジューム情報７１が共通のレジュームテーブル１４に格納される。これにより、あるＤＶＤ２１に記録された映像情報をあるＤＶＤプレイヤ１で途中まで再生した後に、そのＤＶＤ２１を他のＤＶＤプレイヤ１に移した場合でも、共通のレジュームテーブル１４に記憶された該当のＤＶＤ２１の前回における再生停止位置（再生開始ポイント７３）から画像情報の再生を開始することができる。従って、例えば、図２に示されるように、あるＤＶＤ２１に記録された映像情報をリビングルームに配されたＤＶＤプレイヤ１ａで途中まで再生した後に、そのＤＶＤ２１をプライベートルームに配されたＤＶＤプレイヤ１ｂに挿入した場合でも、ユーザは、プライベートルームのＤＶＤプレイヤ１ｂにおいて、リビングルームのＤＶＤプレイヤ１ａで該当のＤＶＤ２１の再生を停止した位置から画像情報の再生を続けることができる。
【００２３】
また、上記のメモリ参照方法設定画面６１において、いずれのメモリ参照方法が選択された場合でも、制御部１０は、いずれかのＤＶＤプレイヤ１のレジュームテーブル１４に、再生したＤＶＤ２１のディスクＩＤ７２に対応させて、再生停止時点における再生位置を再生開始ポイント７３として記憶させる。これにより、本ＤＶＤプレイヤ１においては、あるＤＶＤ２１に記録された情報をあるＤＶＤプレイヤ１で途中まで再生した後に、そのＤＶＤ２１を一旦ＤＶＤプレイヤ１から取り出した場合でも、そのＤＶＤ２１のディスクＩＤ７２に対応した再生開始ポイント７３を保持することができるので、そのＤＶＤ２１を再度同じＤＶＤプレイヤ１に挿入した場合に、そのＤＶＤ２１の前回の再生停止位置に相当する再生開始ポイント７３から画像情報の再生を開始することができる。
【００２４】
次に、上記ＤＶＤ２１の記録領域の構成について図６を参照して説明する。ＤＶＤ２１には、内周側から外周側に向かって、管理情報を記録したリードイン領域２２、画像等のユーザ情報を記録したデータ領域２３、及び記録領域の終端を示すためのリードアウト信号を記録したリードアウト領域２４が配されている。リードイン領域２２に記録された管理情報の中には、各ＤＶＤ２１に固有のＩＤであるディスクＩＤのデータが格納されている。
【００２５】
次に、上記ＤＶＤプレイヤ１の全体的な動作について図７のフローチャートを参照して説明する。ユーザがＤＶＤプレイヤ１の電源を投入すると、ＤＶＤプレイヤ１の制御部１０は、ディスク挿入検知部２によりＤＶＤ２１の挿入の有無を検知する（Ｓ１）。制御部１０は、ＤＶＤ２１の挿入を検知すると（Ｓ１でＹＥＳ）、リモコン４０の再生キー４５又は操作部７の再生キー５２（以下、再生キー４５等という）が押されたか否かを検出し（Ｓ２）、上記いずれかのキーの押下を検出した場合には（Ｓ２でＹＥＳ）、後述する再生開始処理を行った上で（Ｓ３）、リモコン４０の停止キー４６又は操作部７の停止キー５３（以下、停止キー４６等という）が押下されるまでＤＶＤ２１に記録された情報の再生を継続する（Ｓ４及びＳ５）。そして、停止キー４６等が押下されると（Ｓ５でＹＥＳ）、メモリ参照方法設定画面６１及び参照先装置指定画面６２でメモリ参照先に設定したＤＶＤプレイヤ１のレジュームテーブル１４に、停止キー４６等が押下された時点におけるＤＶＤ２１の記録領域上の再生位置を再生開始ポイントとして書き込む（Ｓ６）。
【００２６】
次に、図７のＳ３の再生開始処理について図８のフローチャートを参照して説明する。制御部１０は、ＤＶＤプレイヤ１の電源投入後にリモコン４０のレジュームキー４４が押されない場合には（Ｓ１１でＮＯ）、レジューム機能をオフに設定して、挿入されているＤＶＤ２１のデータ領域２３（図６参照）の先頭から画像情報の再生を開始する（Ｓ１５）。これに対して、リモコン４０のレジュームキー４４が押された場合には（Ｓ１１でＹＥＳ）、制御部１０は、レジューム機能をオンに設定して、挿入されているＤＶＤ２１のリードイン領域２２（図６参照）からＤＶＤ２１のディスクＩＤを光ピックアップ４により読み取る（Ｓ１２）。そして、メモリ参照方法設定画面６１及び参照先装置指定画面６２でメモリ参照先に設定したＤＶＤプレイヤ１のレジュームテーブル１４に含まれるレジューム情報７１の中から、光ピックアップ４により読み取ったディスクＩＤと同じＩＤを有するレジューム情報７１をサーチして（Ｓ１３）、該当するレジューム情報７１があるか否かをチェックする（Ｓ１４）。
【００２７】
上記チェックの結果、該当するレジューム情報７１がない場合には（Ｓ１４でＮＯ）、制御部１０は、データ領域２３（図６参照）の先頭から画像情報の再生を開始する（Ｓ１５）。これに対して、該当するレジューム情報７１がある場合には（Ｓ１４でＹＥＳ）、該当するレジューム情報７１が複数存在するか否かをチェックする（Ｓ１６）。この結果、該当するレジューム情報７１が１つしか存在しない場合には（Ｓ１６でＮＯ）、制御部１０は、該当するレジューム情報７１の再生開始アドレス７５（図５参照）から画像情報の再生を開始する（Ｓ１７）。
【００２８】
これに対して、該当するレジューム情報７１が複数存在する場合には（Ｓ１６でＹＥＳ）、制御部１０は、再生開始ポイントの選択画面として、選択対象となる再生開始ポイントをサムネイル画像で表示した選択画像を使用するか否かを確認するための不図示の確認画面を表示する。そして、ユーザが、確認画面からサムネイル画像で表示した選択画像を使用しない旨の応答入力をしたときには（Ｓ１８でＮＯ）、制御部１０は、図９に示されるように、選択対象となる再生開始ポイントとして該当するレジューム情報７１中の再生開始時間７４（図５参照）を表示した再生開始ポイント選択画面８１を表示する（Ｓ１９）。また、ユーザが、確認画面からサムネイル画像で表示した選択画像を使用する旨の応答入力をしたときには（Ｓ１８でＹＥＳ）、制御部１０は、該当するレジューム情報７１中の再生開始アドレス７５に対応する画像をＤＶＤ２１のデータ領域２３から光ピックアップ４により読み込み、読み込んだ画像をサムネイル画像に変換した上で、このサムネイル画像８４を選択対象となる再生開始ポイントとして図１０に示される再生開始ポイント選択画面８２に表示する（Ｓ２０）。そして、ユーザが上記の選択画面８１又は選択画面８２からリモコン４０の選択キー４８により所望の再生開始ポイントを選択すると（Ｓ２１でＹＥＳ）、制御部１０は、選択された再生開始ポイントに相当するデータ領域２３中のアドレスから画像情報の再生を開始する（Ｓ２２）。
【００２９】
上記のレジュームテーブル１４に格納されたレジューム情報７１は、各ＤＶＤ２１のデータ領域２３に格納された全ての画像情報が再生された時点で制御部１０により消去される。
【００３０】
上述したように、本実施形態によるＤＶＤプレイヤ１によれば、ユーザがメモリ参照方法設定画面６１及び参照先装置指定画面６２から各ＤＶＤプレイヤ１のメモリ参照先に同じＤＶＤプレイヤ１を指定したときに、制御部１０が、各ＤＶＤプレイヤ１で再生された各ＤＶＤ２１についてのレジューム情報７１を共通のレジュームテーブル１４に格納するようにした。これにより、あるＤＶＤ２１に記録された映像情報をあるＤＶＤプレイヤ１で途中まで再生した後に、そのＤＶＤ２１を他のＤＶＤプレイヤ１に挿入した場合でも、共通のレジュームテーブル１４に記憶された該当のＤＶＤ２１の前回における再生停止位置から画像情報の再生を開始することができる。
【００３１】
さらにまた、制御部１０が、いずれかのＤＶＤプレイヤ１のレジュームテーブル１４に、再生したＤＶＤ２１のディスクＩＤ７２に対応させて、再生停止時点における再生位置を再生開始ポイント７３として記憶させるようにした。これにより、あるＤＶＤ２１に記録された情報をあるＤＶＤプレイヤ１で途中まで再生した後に、そのＤＶＤ２１を一旦ＤＶＤプレイヤ１から取り出した場合でも、そのＤＶＤ２１のディスクＩＤ７２に対応した再生開始ポイント７３を保持することができるので、そのＤＶＤ２１を再度同じＤＶＤプレイヤ１に挿入した場合に、制御部１０が、そのＤＶＤ２１の前回の再生停止位置に相当する再生開始ポイント７３から画像情報の再生を開始することができる。また、あるＤＶＤプレイヤ１に直前に挿入していたＤＶＤ２１とは異なるＤＶＤ２１を挿入したときでも、挿入されたＤＶＤ２１が以前に該当のＤＶＤプレイヤ１で再生されたＤＶＤ２１である場合には、そのＤＶＤ２１の情報の再生を前回の再生停止位置に相当する位置から開始することができる。
【００３２】
なお、本発明は、上記実施形態に限られるものではなく、様々な変形が可能である。例えば、本実施形態では、停止キー４６等が押下された場合に、レジュームテーブル１４への再生開始ポイント７３の書き込みを行うようにしたが、リモコン等にポイントキーを設けて、このポイントキーが押下された場合には、画像情報の再生中であってもレジュームテーブルに再生開始ポイントを書き込むようにしてもよい。これにより、複数のユーザが同じＤＶＤプレイヤで同時に同じＤＶＤの映像を見ていた場合で、ユーザ毎に見終わった映像の位置が異なる場合でも、各ユーザが席を離れる時にポイントキーを押下してレジュームテーブルに再生開始ポイントを書き込むことができるので、各ユーザが自分が見ていた映像の続きを見ることができる。また、上記実施形態では、各ＤＶＤ２１のデータ領域２３に格納された全ての画像情報が再生された時点で、レジュームテーブル１４に格納された該当のＤＶＤ２１のレジューム情報７１を自動的に消去するようにしたが、消去対象となるレジューム情報を選択するための画面を設けて、ユーザがこの画面から指示したレジューム情報のみをレジュームテーブルから消去するようにしてもよい。
【００３３】
【発明の効果】
以上説明したように請求項１の発明によれば、再生した光ディスクの識別情報に対応させて、停止指示された時点における再生位置を再生開始位置として自装置のメモリ又は指定先の装置の共有メモリに記憶させると共に、再生動作の開始時に光ディスクの識別情報に対応した再生開始位置を自装置のメモリ又は指定先の装置の共有メモリから読み取って、その再生開始位置から情報の再生を開始するようにした。これにより、対象となる光ディスクが再書き込み可能であるか否かを問わず、ある光ディスクを一旦再生装置から取り出して再度同じ再生装置に挿入した場合でも、その光ディスクの前回の再生停止位置に相当する位置から情報の再生を開始することができる。また、ある再生装置に直前に挿入していた光ディスクとは異なる光ディスクを挿入したときでも、挿入された光ディスクが以前に該当の再生装置で再生されたことがあるディスクである場合には、前回の再生停止位置に相当する位置から情報の再生を開始することができる。
【００３４】
また、ユーザにより他の装置に存在する共有メモリに再生開始位置を記憶するように選択された場合に、光ディスクの識別情報に対応させて、再生開始位置を指定先の装置の共有メモリに通信手段を介して記憶させると共に、再生動作の開始時に、光ディスクの識別情報に対応した再生開始位置を指定先の装置の共有メモリから通信手段を介して読み取って、その再生開始位置から情報の再生を開始するようにした。これにより、対象となる光ディスクが再書き込み可能であるか否かを問わず、光ディスクをある再生装置から他の再生装置に移した場合でも、その光ディスクの前回の再生停止位置に相当する再生開始位置から情報の再生を開始することができる。
【００３５】
また、請求項２の発明によれば、停止指示された時点における再生位置を再生開始位置として自装置の記憶手段又は指定先の装置の記憶手段に記憶させると共に、再生動作の開始時に、再生開始位置を自装置の記憶手段又は指定先の装置の記憶手段から読み取って、その再生開始位置から情報の再生を開始するようにしたことにより、上記と同等の効果を得ることができる。
【００３６】
また、請求項３の発明によれば、光ディスクの識別情報に対応させて、光ディスクの再生開始位置を自装置又は指定先の装置の記憶手段に記憶させると共に、再生動作の開始時に、光ディスクの識別情報に対応した光ディスクの再生開始位置を、自装置又は指定先の装置の記憶手段から読み取って、その再生開始位置から情報の再生を開始するようにした。これにより、ある再生装置に直前に挿入していた光ディスクとは異なる光ディスクを挿入したときでも、挿入された光ディスクが以前に該当の再生装置で再生されたことがあるディスクである場合には、その光ディスクの前回における再生停止位置に対応した位置から情報の再生を開始することができる。
【図面の簡単な説明】
【図１】  本発明の一実施形態に係る光ディスク再生装置の電気的ブロック構成図。
【図２】  上記再生装置を相互に接続して構成したネットワークシステムを示す図。
【図３】  上記再生装置においてレジューム機能を使用する際におけるメモリ参照方法の選択画面を示す図。
【図４】  上記再生装置においてレジューム機能を使用する際におけるメモリ参照先装置の指定用の画面を示す図。
【図５】  上記再生装置におけるレジューム情報格納用のテーブルの内容をを示す図。
【図６】  上記再生装置で再生される光ディスクの記録領域の構成を示す図。
【図７】  上記再生装置の全体的な動作を示すフローチャート。
【図８】  上記再生装置の再生開始処理を示すフローチャート。
【図９】  上記再生装置における選択対象となる再生開始ポイントを時間で表示した再生開始ポイントの選択用画面を示す図。
【図１０】  上記再生装置における選択対象となる再生開始ポイントをサムネイル画像で表示した再生開始ポイントの選択用画面を示す図。
【符号の説明】
１      ＤＶＤプレイヤ（光ディスク再生装置）
４      光ピックアップ（光ディスク情報読取手段）
６      デコーダ（再生手段）
１０    制御部（制御手段）
１１    ディジタル・インタフェース（通信手段）
１３    メモリ（メモリ、共有メモリ、記憶手段）
２１    ＤＶＤ（光ディスク）
４６    停止キー（停止指示手段）
４８    選択キー（選択手段、指定手段）
５０    ネットワークシステム
６１    メモリ参照方法設定画面（選択手段）
６２    参照先装置指定画面（指定手段）
７３    再生開始ポイント（再生開始位置）
【図１】
0003674701.tif 000002
【図２】
0003674701.tif 000003
【図３】
0003674701.tif 000004
【図４】
0003674701.tif 000005
【図５】
0003674701.tif 000006
【図６】
0003674701.tif 000007
【図７】
0003674701.tif 000008
【図８】
0003674701.tif 000009
【図９】
0003674701.tif 000010
【図１０】
0003674701.tif 000011